(57)【特許請求の範囲】
【請求項１】
歌詞をあらわす歌詞データと、該歌詞を一文字以上ずつの所定の区間に分けたときの各区間のワイプ開始タイミングをあらわすワイプ開始タイミングデータとが記憶された記憶手段、
前記記憶手段に記憶された歌詞データに基づいて歌詞を表示する表示手段、
前記表示手段に表示される歌詞の表示態様を歌唱の流れに従って各区間内において徐々に変化させるワイプ手段を備え、
前記ワイプ手段が、１つの区間内の文字の表示態様を徐々に変化させるにあたり、該１つの区間内の文字の表示態様を、該１つの区間のワイプ開始タイミングから次の区間のワイプ開始タイミングまでの時間に基づいて決定し、徐々に変化させるものであり、
さらに、前記ワイプ手段において決定される文字の表示態様特性は、該１つの区間のワイプ開始タイミングから次の区間のワイプ開始タイミングまでの時間が所定の時間以内であるか否かに応じて、それぞれ、該１つの区間のワイプ開始タイミングから次の区間のワイプ開始タイミングまでの時間をかけて、あるいは前記所定の時間をかけて、徐々に変化させるものであることを特徴とする歌詞表示装置。
【発明の詳細な説明】
【０００１】
【発明の属する技術分野】
本発明は、カラオケ演奏等にあたり、画面に表示される歌詞の表示態様（例えば、表示される歌詞の色や大きさ等）を歌唱の流れに従って徐々に変化させることにより、歌唱すべき歌詞の位置を適切に表示する歌詞表示装置に関する。
【０００２】
【従来の技術】
従来より、上述のような歌詞表示装置において、歌詞を一文字以上ずつの所定の区間に分けたときの各区間の表示態様を徐々に変化させる（以下、ワイプと称する）ために、各区間毎に、歌唱開始タイミングをあらわすデータ（ワイプ開始時刻データ）と歌唱終了タイミングをあらわすデータ（ワイプ終了時刻データ）とをメモリに記憶しておき、これらのデータに基づいて各区間毎にワイプする技術が提案されている。しかし、この技術では、歌唱開始タイミングをあらわすデータと歌唱終了タイミングをあらわすデータとの双方のデータを記憶するものであるため、メモリ容量が増大するという問題がある。
【０００３】
そこで、上記双方のデータのうちの歌唱開始タイミングをあらわすデータをメモリに記憶しておき、１つの区間の歌唱終了タイミングをあらわすデータとして、次の区間の歌唱開始タイミングをあらわすデータを用いる技術が提案されている。
【０００４】
例えば、歌唱開始タイミングをあらわすデータをメモリに記憶しておき、そのデータに基づいて区間内の文字全てを反転表示する技術が提案されている。
【０００５】
さらに、特開平９−１５２８７７号公報には、ワイプ開始タイミングをあらわすデータをメモリに記憶しておき、そのデータに基づいて所定の速度でワイプを開始し、ワイプ終了前に次の区間のワイプ開始タイミングになった場合は、現在の区間の表示態様を即座に変化させる技術が提案されている。
【０００６】
また、対応する楽音情報の音長からワイプ終了時刻を取得する技術も提案されている。
【０００７】
【発明が解決しようとする課題】
歌唱開始タイミングをあらわすデータに基づいて区間内の文字全てを反転表示する技術では、区間内の文字全てが即座に反転表示されるため、歌詞を滑らかにワイプするという点に欠けるという問題がある。
【０００８】
また、歌唱開始タイミングをあらわすデータに基づいて所定の速度でワイプを開始する技術では、ワイプ終了前に次の区間のワイプ開始タイミングになった場合、表示態様が即座に変化するため、やはり歌詞を滑らかにワイプするという点に欠けるという問題がある。
【０００９】
さらに、対応する楽音情報の音長からワイプ終了時刻を取得する技術では、歌詞情報と楽音情報とを同一タイミングに配置する必要があり、このため音楽的な表現が制限されて不自由であるとともに、「セリフ」に代表されるように対応する楽音がない場合はワイプ終了時刻が取得できないという問題がある。
【００１０】
本発明は、上記事情に鑑み、メモリ容量の増大を抑えたまま、歌詞を自然にかつ滑らかにワイプすることのできる歌詞表示装置を提供することを目的とする。
【００１１】
【課題を解決するための手段】
上記目的を達成する本発明の歌詞表示装置は、
歌詞をあらわす歌詞データと、その歌詞を一文字以上ずつの所定の区間に分けたときの各区間のワイプ開始タイミングをあらわすワイプ開始タイミングデータとが記憶された記憶手段、
上記記憶手段に記憶された歌詞データに基づいて歌詞を表示する表示手段、および
上記表示手段に表示される歌詞の表示態様を歌唱の流れに従って各区間内において徐々に変化させるワイプ手段を備え、
上記ワイプ手段が、１つの区間内の文字の表示態様を徐々に変化させるにあたり、該１つの区間内の文字の表示態様を、該１つの区間のワイプ開始タイミングから次の区間のワイプ開始タイミングまでの時間に基づいて決定し、徐々に変化させるものであることを特徴とする。
【００１２】
本発明の歌詞表示装置は、１つの区間内の文字の表示態様を徐々に変化させるにあたり、該１つの区間内の文字の表示態様特性を、該１つの区間のワイプ開始タイミングから次の区間のワイプ開始タイミングまでの時間に基づいて決定し、徐々に変化させるものであるため、歌詞を自然にワイプすることができる。
【００１３】
ここで、上記ワイプ手段において決定される文字の表示態様特性は、該１つの区間のワイプ開始タイミングから次の区間のワイプ開始タイミングまでの時間が所定の時間以内であるか否かに応じて、それぞれ、該１つの区間のワイプ開始タイミングから次の区間のワイプ開始タイミングまでの時間をかけて、あるいは上記所定の時間をかけて、徐々に変化させるものであることが好ましい。
【００１４】
例えば１つの区間が１コーラス目の最後の区間であり次の区間が２コーラス目の最初の区間でありこれら１コーラス目と２コーラス目との間で間奏が行なわれるような、１つの区間から次の区間までの時間が比較的長い場合であっても、次の区間のワイプ開始タイミングになるまで、その１つの区間内の文字をワイプし続けるというようなことはなく、歌詞を自然にワイプすることができる。
【００１５】
【発明の実施の形態】
以下、本発明の実施形態について説明する。
【００１６】
図１は、本発明の一実施形態の歌詞表示装置の回路構成を示したブロック図である。
【００１７】
図１に示す歌詞表示装置１００には、ＣＰＵ１１、ＲＡＭ１２、ＲＯＭ１３、表示器１４、操作子１５、タイマ１６、および演奏手段１７が備えられており、それらはバス１８を介して互いに接続されている。また演奏手段１７には、アンプ１９が接続され、さらにそのアンプ１９にはスピーカ２０が接続されている。
【００１８】
ＣＰＵ１１は、ＲＯＭ１３に格納されたプログラムを読み出して実行することにより、この図１に示す歌詞表示装置１００全体の制御を行なう。
【００１９】
ＲＡＭ１２には、歌詞をあらわす歌詞データと、その歌詞を一文字以上ずつの所定の区間に分けたときの各区間のワイプ開始タイミングをあらわすワイプ開始タイミングデータとが記憶される。また、演奏データやＣＰＵ１１で実行されるプログラムの変数等も記憶される。
【００２０】
ＲＯＭ１３には、歌詞表示装置１００全体の制御を行なうためのプログラムが格納されている。
【００２１】
表示器１４は、ＲＡＭ１２に記憶された歌詞データに基づいて歌詞を表示したり、この歌詞に重ねて背景画を表示したりする。
【００２２】
操作子１５は、演奏開始を指示するためのものである。
【００２３】
タイマ１６は、所定時間毎にタイマ割込信号を出力する。
【００２４】
演奏手段１６は、ＲＡＭ１２に記憶された演奏データを読み出して、タイマ１６から出力されるタイマ割込信号に基づいて割込み処理を行なうことにより楽曲を演奏するための波形データを出力する。出力された波形データは、増幅器１９で増幅されて、スピーカ２０で空中に放音される。
【００２５】
また、ＣＰＵ１１とＲＯＭ１３により、表示器１４に表示される歌詞の表示態様を歌唱の流れに従って上記各区間内において徐々に変化させるワイプ手段が実現されている。このワイプ手段の詳細については後述する。
【００２６】
図２は、図１に示すＲＡＭに記憶されるワイプ開始タイミングデータと歌詞データの形式を示す図である。
【００２７】
ＲＡＭ１２には、ワイプ開始タイミングデータ３０と歌詞データ４０とのペアが、歌唱される時刻順（イベント順）に配列されている。配列された歌詞データ４０の最後には、これらの歌詞データ４０とは別に、歌詞の終了を示すデータｅｏｄ（Ｅｎｄ  ｏｆ  Ｄａｔａ）が設けられている。
【００２８】
図３は、図２に示すワイプ開始タイミングデータと歌詞データを詳細に示す図である。
【００２９】
図３に示す右の列には、歌唱される歌詞が一文字の区間に分けられてなる歌詞データ４０が配列されている。また左の列には、各歌詞データ４０に対応して各ワイプ開始タイミングデータ３０が配列されている。このワイプ開始タイミングデータ３０は、小節３１と、拍３２と、ティック３３とから構成されている。1拍（４分音符）は９６ティックであらわされており、ワイプ開始タイミングデータ３０と歌詞データ４０とのペアの大部分は、４８ティック（８分音符）毎に配列されている。尚、図３に示す‘￥ｒ’マークは改行を示し、‘￥ｎ’マークは改頁を示す。これら制御コードを示すマークデータは歌詞の一文字として記憶されて、歌詞表示のときの制御コードとして利用される。
【００３０】
図４は、図３に示すワイプ開始タイミングデータと歌詞データとに基づいて歌詞が表示される様子を示す図である。
【００３１】
図１に示す表示器１４には、図４に示すように、先ず１頁目の１行目に、歌詞データ４０で構成される‘ゆうやみ  せまる’の文字列が表示され、次いで改行が行なわれて、２行目に‘うみの  そば’の文字列が表示される。さらに、改行および改頁が行なわれて、１頁目の表示が終了する。次に、２頁目の１行目に‘ひきさかれてく’の文字列が表示され、次いで改行が行なわれて２行目に‘Ｄｅｓｔｉｎｙ’の文字列が表示される。さらに、改行および改頁が行なわれて２頁目の表示が終了する。以下、３頁目、４頁目、…と順次表示され、最終頁目に‘わたしを  おきざりに  して’の文字列が表示され、次いで改行および改頁が行なわれ最終頁目の表示が終了する。
【００３２】
本実施形態の歌詞表示装置１００では、ＣＰＵ１１，ＲＯＭ１３からなるワイプ手段が、詳細には、１つの区間内の文字の表示態様を徐々に変化させるにあたり、その１つの区間内の文字の表示態様特性を、該１つの区間のワイプ開始タイミングから次の区間のワイプ開始タイミングまでの時間に基づいて決定し、徐々に変化させるものである。さらに詳細には、前記１つの区間内の文字の表示態様を、該１つの区間のワイプ開始タイミングから次の区間のワイプ開始タイミングまでの時間が所定の時間内であるか否かに応じて、それぞれ、該１つの区間のワイプ開始タイミングから次の区間のワイプ開始タイミングまでの時間をかけて、あるいは前記所定の時間をかけて、徐々に変化させるものである。このように変化させることにより、表示器１４に表示される歌詞の、歌唱すべき位置を適切に表示するためのワイプを滑らかに行なうことができる。以下、図５を参照して説明する。
【００３３】
図５は、図１に示す歌詞表示装置のメインルーチンのフローチャートである。
【００３４】
図１に示す歌詞表示装置１００に電源が投入されると、このメインルーチンが実行される。先ず、ステップＳ１１において、前述した図１に示す操作子１５が操作されて演奏開始の指示があったか否かが判定される。電源が投入された時点では、演奏開始の指示がまだ行なわれていないため、このステップＳ１１を繰り返し実行する。やがて操作子１５が操作されて、演奏開始の指示があったと判定された場合は、ステップＳ１２に進む。このステップＳ１２では、１頁分の歌詞を表示してステップＳ１３に進む。
【００３５】
ステップＳ１３では、図３に示す１イベント分のデータ（ワイプ開始タイミングデータおよび歌詞データ）を読み込みそのイベントの開始時刻まで待ってからステップＳ１４に進む。ステップＳ１４では、読み込まれたデータが歌詞の終了を示すデータｅｏｄか否かが判定される。データｅｏｄであると判定された場合は、このルーチンを終了する。一方、データｅｏｄでないと判定された場合はステップＳ１４＿１に進む。ステップＳ１４＿１では、読み込まれたデータが歌詞の改行を指示するマーク‘￥ｒ’か否かが判定される。改行マーク‘￥ｒ’である場合は何もせずにステップＳ１３に戻る。一方、改行マーク‘￥ｒ’でないと判定された場合はステップＳ１４＿２に進む。ステップＳ１４＿２では、読み込まれたデータが歌詞の改頁を指示するマーク‘￥ｎ’か否かが判定される。改頁マーク‘￥ｎ’である場合はステップＳ１４＿３に進み現在の歌詞をクリアしてステップＳ１２に戻り、次の１頁分の歌詞を表示する。一方、改頁マーク‘￥ｎ’でないと判定された場合はステップＳ１５に進む。
【００３６】
尚、このフロー図では、改行マークと改頁マークは前述のステップＳ１２の歌詞の表示のときの制御コードとして利用される。
【００３７】
ステップＳ１５では、次のイベントの時刻（次のイベントのワイプ開始タイミングデータで改行マークと改頁マークのイベントも含む）を取得し、現在の時刻から次のイベントまでの時間Ｔ（本発明にいう１つの区間のワイプ開始タイミングから次の区間のワイプ開始タイミングまでの時間の一例）を求めてステップＳ１６に進む。
【００３８】
ステップＳ１６では、時間Ｔが、１イベント相当の区間の最長ワイプ時間Ｔａ（本発明にいう所定の時間の一例）以上であるか否かが判定される。時間Ｔが所定時間Ｔａ未満であると判定された場合はステップＳ１７に進み、現在のイベントに相当する歌詞を時間Ｔでワイプする。一方、時間Ｔが所定時間Ｔａ以上であると判定された場合はステップＳ１８に進み、現在のイベントに相当する歌詞を時間Ｔａでワイプする。このように、時間Ｔが時間Ｔａ以上であると判定された場合は、現在のイベントに相当する歌詞を所定の時間Ｔａでワイプすることにより、例えば現在のイベントの時刻から次のイベントの時刻までの時間が比較的長い場合であっても、従来の、１つの区間の歌唱終了タイミングをあらわすデータとして次の区間のワイプ開始タイミングをあらわすデータを用いる技術と比較し、次のイベントの時刻になるまで現在のイベントに相当する歌詞をワイプし続けるというようなことはなく、歌詞を自然にワイプすることができる。また、従来の、ワイプ開始タイミングで区間内の文字全てを即座に反転表示する技術や、所定の速度でワイプを開始しワイプ終了前に次の区間のワイプ開始タイミングになった場合は表示態様を即座に変化させる技術と比較し、歌詞を滑らかにワイプすることができる。
【００３９】
図６は、図５に示すメインルーチンのフローチャートとは異なるメインルーチンの前半のフローチャート、図７は、図６に示すメインルーチンの後半のフローチャート、図８は、図３とは異なるワイプ開始タイミングデータと歌詞データを示す図である。
【００４０】
図６、図７に示すメインルーチンのフローチャートは、図５に示すメインルーチンのフローチャートと比較し、歌詞のタイトル表示や背景画像の切替え表示等が追加されたものであるとともに、図８に示すような、改行マーク‘￥ｒ’と改頁マーク‘￥ｎ’を他の歌詞の文字と一緒に記憶するような歌詞データの場合の実施例である。
【００４１】
先ず、図６に示すステップＳ２１において、演奏開始の指示があったか否かが判定され、演奏開始の指示があったと判定された場合はステップＳ２２に進む。ステップＳ２２では、歌詞のタイトルや背景画を表示してステップＳ２３に進む。ステップＳ２３では、タイトルなどが表示された時刻から最初のイベント（最初のワイプ開始タイミングデータ、即ち図８に示す６：２：０００）までの時間Ｔｏを求める。この時間Ｔｏでは、例えば前奏が行なわれる。次に、ステップＳ２４に進む。
【００４２】
ステップＳ２４では、時間Ｔｏが、時間（Ｔａ＋Ｔｂ）以上であるか否かが判定される。ここで、時間Ｔａは、時間Ｔｏの最初の時刻でタイトルが表示されてからそのタイトルがクリアされる時刻（Ｔａ）までの最長時間をあらわす。また時間Ｔｂは、時間Ｔｏの途中の時刻で歌詞が表示されてからワイプ開始時刻（時間Ｔｏの最後の時刻）までの最長時間をあらわす。時間Ｔｏが、時間（Ｔａ＋Ｔｂ）以上であると判定された場合は、最初のイベントまでの時間が比較的長いためステップＳ２５に進む。
【００４３】
ステップＳ２５では、時刻Ｔａまで待ってステップＳ２６に進み、そのステップＳ２６においてタイトルをクリアして新たな背景画を表示する。さらにステップＳ２７に進み、歌詞が表示される時刻（Ｔｏ−Ｔｂ）まで待ってからステップＳ３０に進む。
【００４４】
一方、ステップＳ２４において、時間Ｔｏが、時間（Ｔａ＋Ｔｂ）未満であると判定された場合は、最初のイベントまでの時間が比較的短いためステップＳ２８に進む。ステップＳ２８では、時刻（Ｔｏ×（Ｔａ／（Ｔａ＋Ｔｂ））、即ち時間Ｔａと時間Ｔｂの中間の時刻まで待ってステップＳ２９に進む。ステップＳ２９では、タイトルをクリアして新たな背景画を表示してステップＳ３０に進む。
【００４５】
ステップＳ３０では、１頁分の歌詞を表示する。次に、ステップＳ３１において、１イベント分のデータを読み込みワイプ開始時刻まで待ってからステップＳ３２に進む。
【００４６】
ステップＳ３２では、歌詞の終了を示すデータｅｏｄか否かが判定される。データｅｏｄであると判定された場合はこのルーチンを終了する。一方、データｅｏｄでないと判定された場合は、ステップＳ３３に進む。ステップＳ３３では、次のイベントの時刻ｔを取得し、現在時刻から次のイベントまでの時間Ｔ1（本発明にいう１つの区間のワイプ開始タイミングから次の区間のワイプ開始タイミングまでの時間の一例）を求めて、図７に示すステップＳ３４に進む。
【００４７】
ステップＳ３４では、頁の終わりか否かが判定される。頁の終わりでないと判定された場合は、ステップＳ３５に進む。ステップＳ３５では、時間Ｔ1が、１イベント相当の区間の最長ワイプ時間Ｔｃ（本発明にいう所定の時間の一例）以上であるか否かが判定される。時間Ｔ1が時間Ｔｃ未満であると判定された場合はステップＳ３６に進み、現在のイベントに相当する歌詞を時間Ｔ1でワイプして、前述したステップＳ３１に戻る。一方、時間Ｔ1が時間Ｔｃ以上であると判定された場合はステップＳ３７に進み、現在のイベントに相当する歌詞を時間ＴｃでワイプしてステップＳ３１に戻る。
【００４８】
また、ステップＳ３４において、頁の終わりであると判定された場合は、ステップＳ３８に進む。ステップＳ３８では、時間Ｔ1が、時間（Ｔｃ＋Ｔｂ）以上であるか否かが判定される。時間Ｔ1が、時間（Ｔｃ＋Ｔｂ）以上であると判定された場合、即ち時間Ｔ1が、１イベント相当の区間の最長ワイプ時間Ｔｃ＋次の頁の歌詞が表示された時刻からワイプ開始時刻までの時間Ｔｂ以上であると判定された場合は、現在の頁と次の頁との切替時間が比較的長いためステップＳ３９に進む。ステップＳ３９では、現在のイベントに相当する歌詞（現在の頁の最後の歌詞）を時間ＴｃでワイプしてステップＳ４０に進む。ステップＳ４０では、現在の頁の歌詞をクリアする。次に、ステップＳ４１において、現在の時刻から、先に取得した次のイベントの時刻ｔまでの時間Ｔ2を求めて、ステップＳ４２に進む。ステップＳ４２では、時間Ｔ2が、時間（Ｔｄ＋Ｔｂ）以上であるか否かが判定される。ここで、時間Ｔｄは、現在の頁から次の頁への切り替えにあたり、次の頁の歌詞表示までに背景画の切り替えを行なうか否かの判定に用いられる基準時間である。時間Ｔ2が、時間（Ｔｄ＋Ｔｂ）以上であると判定された場合、即ち次の頁の歌詞表示までに十分に時間があると判定された場合はステップＳ４３に進み、新たな背景画を表示する。次に、ステップＳ４４において、現在時刻＋時刻Ｔｄまで待ってからステップＳ４１に戻る。一方、ステップＳ４２において、時間Ｔ2が、時間（Ｔｄ＋Ｔｂ）未満であると判定された場合、即ち次の頁の歌詞表示までに余り時間がないと判定された場合は、背景画を新たに切り替えることはせずにステップＳ４５に進み、次の１頁分の歌詞を表示するために時刻（ｔ―Ｔｂ）まで待ってから、前述したステップＳ３０に戻る。
【００４９】
また、ステップＳ３８において、時間Ｔ1が、時間（Ｔｃ＋Ｔｂ）未満であると判定された場合、即ち時間Ｔ1が、１イベント相当の区間の最長ワイプ時間Ｔｃ＋次の頁の歌詞が表示された時刻からワイプ開始時刻までの時間Ｔｂ未満であると判定された場合は、現在の頁と次の頁との切替時間が比較的短いためステップＳ４６に進む。ステップＳ４６では、現在のイベントに相当する歌詞を時間（Ｔ1×（Ｔｃ／（Ｔｃ＋Ｔｂ））でワイプしてステップＳ４７に進む。ステップＳ４７では、現在の頁の歌詞をクリアして、次の１頁分の歌詞を表示するために、ステップＳ３０に戻る。このように、歌詞を自然にかつ滑らかにワイプするとともに、現在の頁から次の頁への切替時間が比較的長い場合に、新たな背景画を表示してもよい。
【００５０】
尚、本実施形態では、改行や改頁は、イベントに含まれた例で説明したが、改行や改頁は、イベントとして独立して存在していても良い。また、改行や改頁は存在していなくても良い。
【００５１】
また、本実施形態では、１つの区間の歌唱開始タイミングから次の区間の歌唱開始タイミングまでを一定の速度でワイプする場合を示しているが、図５のステップＳ１５で得られる次のイベントまでの時間Ｔに予め設定した係数（１より小さい値）を乗算して、新たな時間Ｔとして処理すると、１つの区間の歌唱開始タイミングから次の区間の歌唱開始タイミングまでの間を等速でワイプしない表示態様特性とすることもできる。
【００５２】
さらに、本実施形態では、ワイプ開始タイミングデータは、小節と拍とティックとから構成された例で説明したが、ワイプ開始タイミングデータはこれに限られるものではなく、例えば相対時間等で表現しても良い。
【００５３】
また、本実施形態では、歌詞データと演奏データは互いに独立した例で説明したが、歌詞データは演奏データ中に存在していても良い。
【００５４】
【発明の効果】
以上説明したように、本発明によれば、メモリ容量の増大を抑えたまま、歌詞を自然にかつ滑らかにワイプすることができる。
【図面の簡単な説明】
【図１】本発明の一実施形態の歌詞表示装置の回路構成を示したブロック図である。
【図２】図１に示すＲＡＭに記憶されるワイプ開始タイミングデータと歌詞データの形式を示す図である。
【図３】図２に示すワイプ開始タイミングデータと歌詞データを詳細に示す図である。
【図４】図３に示すワイプ開始タイミングデータと歌詞データとに基づいて歌詞が表示される様子を示す図である。
【図５】図１に示す歌詞表示装置のメインルーチンのフローチャートである。
【図６】図５に示すメインルーチンのフローチャートとは異なるメインルーチンの前半のフローチャートである。
【図７】図６に示すメインルーチンの後半のフローチャートである。
【図８】図３とは異なるワイプ開始タイミングデータと歌詞データを示す図である。
【符号の説明】
１１  ＣＰＵ
１２  ＲＡＭ
１３  ＲＯＭ
１４  表示器
１５  操作子
１６  タイマ
１７  演奏手段
１８  バス
１９  アンプ
２０  スピーカ
３０  ワイプ開始タイミングデータ
３１  小節
３２  拍
３３  ティック
４０  歌詞データ
１００  歌詞表示装置
【図１】
0004146031.tif 000002
【図２】
0004146031.tif 000003
【図３】
0004146031.tif 000004
【図４】
0004146031.tif 000005
【図５】
0004146031.tif 000006
【図６】
0004146031.tif 000007
【図７】
0004146031.tif 000008
【図８】
0004146031.tif 000009